【事件の表示】
　特願２０１０−５１５３８９「印刷インキのリムービング」拒絶査定不服審判事件〔平成２１年　１月１５日国際公開、ＷＯ２００９／００７０５０、平成２２年１０月１４日国内公表、特表２０１０−５３２７２４〕について、次のとおり審決する。
【結　論】
　本件審判の請求は、成り立たない。
【理　由】
第１　手続の経緯　
　
　本願は、平成２０年７月３日（パリ条約による優先権主張２００７年７月１１日、独国）の出願であって、原審において平成２３年６月２日付けで手続補正がなされ、平成２５年７月２２日付けで拒絶査定がなされ、これに対し、同年１１月２１日付けで拒絶査定に対する不服審判請求がなされると同時に手続補正がなされたものである。　
　
第２　平成２５年１１月２１日になされた手続補正（以下「本件補正」という。）についての補正却下の決定　
　
［補正却下の決定の結論］　
　本件補正を却下する。　
　
［理由］　
１　補正の内容　
　本件補正は、特許請求の範囲について、本件補正前の請求項１及び請求項１１（すなわち、平成２３年６月２日付けで手続補正された下記（１）のもの）を、下記（２）に示す請求項１及び請求項１１へと補正することを含むものである。　
　
（１）本件補正前の特許請求の範囲の請求項１及び請求項１１　
「【請求項１】　
　印刷機、望ましくは枚葉紙オフセット印刷機であって、一つの又は複数の印刷装置及び一つのプレート胴を備え、該一つの又は複数の印刷装置は、それぞれがインキ着けローラを持つ少なくとも一つのインキ装置を備えており、また、前記プレート胴には少なくとも一つの印刷プレートが取り付けられており、各インキ装置は、前記インキ着けローラを介して調量された印刷インキを印刷プレートに着け、また、前記印刷装置内においてはさらに、一つの湿し水着けローラを備える少なくとも一つの湿し装置を前記プレート胴に割り当てることができ、印刷インキはそれぞれ前記印刷プレートから直接、又は印刷ブランケット胴を介して、前記プレート胴と一つの圧胴との間を通過する印刷枚葉紙に転写され、また、前記インキ着けローラ及び湿し水着けローラは前記プレート胴に対して着脱可能である印刷機において、　
　前記プレート胴に対して前記湿し水着けローラ及び／又は前記インキ着けローラを脱状態にするため、ならびに、前記圧胴に対して前記印刷ブランケット胴を脱状態にするための制御装置が設けられており、それにより、関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能であることを特徴とする、印刷機。　
　【請求項１１】　
　少なくとも複数のインキ装置、又は複数のインキ装置及び複数の湿し装置を含む一つの又は複数の印刷装置を有する印刷機を運転する方法において、印刷インキは、インキ着けローラを介して、プレート胴上に取り付けられた印刷プレートに着けられ、該印刷プレートから、印刷ブランケットが取り付けられた印刷ブランケット胴を介して印刷枚葉紙に転写され、さらに、選択的に、少なくとも一つの湿し水着けローラを介して湿し水が前記プレート胴に取り付けられた印刷プレートに着けられ、さらに、前記インキ着けローラ及び前記湿し水着けローラは前記プレート胴に対して着脱可能である方法において、　
　インキ除去用枚葉紙の枚数が印刷ジョブデータから決定されること、ならびに、前記インキ着けローラが脱状態かつ前記ゴムブランケット胴が印刷オンの状態において、前記印刷ブランケット及び前記印刷プレートに残っている印刷インキの残留量を用いてインキ除去用枚葉紙の印刷が行われるように、前記インキ着けローラが前記プレート胴から脱状態にされ、前記圧胴に対して前記印刷ブランケット胴が脱状態にされることを特徴とする、方法。」　
　
（２）本件補正後の特許請求の範囲の請求項１及び請求項１１　
「【請求項１】　
　印刷機、望ましくは枚葉紙オフセット印刷機であって、一つの又は複数の印刷装置及び一つのプレート胴を備え、該一つの又は複数の印刷装置は、それぞれがインキ着けローラを持つ少なくとも一つのインキ装置を備えており、また、前記プレート胴には少なくとも一つの印刷プレートが取り付けられており、各インキ装置は、前記インキ着けローラを介して調量された印刷インキを印刷プレートに着け、また、前記印刷装置内においてはさらに、一つの湿し水着けローラを備える少なくとも一つの湿し装置を前記プレート胴に割り当てることができ、印刷インキはそれぞれ前記印刷プレートから直接、又は印刷ブランケット胴を介して、前記プレート胴と一つの圧胴との間を通過する印刷枚葉紙に転写され、また、前記インキ着けローラ及び湿し水着けローラは前記プレート胴に対して
、同時にあるいは別個に
　前記プレート胴に対して前記湿し水着けローラ及び／又は前記インキ着けローラを脱状態にするため、ならびに、前記圧胴に対して前記印刷ブランケット胴を脱状態にするための制御装置が設けられており、それにより、関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能であることを特徴とする、印刷機。　
　【請求項１１】　
　少なくとも複数のインキ装置、又は複数のインキ装置及び複数の湿し装置を含む一つの又は複数の印刷装置を有する印刷機を運転する方法において、印刷インキは、インキ着けローラを介して、プレート胴上に取り付けられた印刷プレートに着けられ、該印刷プレートから、印刷ブランケットが取り付けられた印刷ブランケット胴を介して印刷枚葉紙に転写され、さらに、選択的に、少なくとも一つの湿し水着けローラを介して湿し水が前記プレート胴に取り付けられた印刷プレートに着けられ、さらに、前記インキ着けローラ及び前記湿し水着けローラは前記プレート胴に対して
、同時にあるいは別個に
　インキ除去用枚葉紙の枚数が印刷ジョブデータから決定されること、ならびに、前記インキ着けローラが脱状態かつ前記ゴムブランケット胴が印刷オンの状態において、前記印刷ブランケット及び前記印刷プレートに残っている印刷インキの残留量を用いてインキ除去用枚葉紙の印刷が行われるように、前記インキ着けローラが前記プレート胴から脱状態にされ、前記圧胴に対して前記印刷ブランケット胴が脱状態にされることを特徴とする、方法。」（下線は審決で付した。以下同じ。）　
　
２　補正目的について　
　本件補正は、補正前の請求項１及び請求項１１に係る発明を特定するために必要な事項である「インキ着けローラ及び湿し水着けローラは前記プレート胴に対して着脱可能である」ことに関して、「同時にあるいは別個に」と限定するものであって、特許法第１７条の２第５項第２号の特許請求の範囲の減縮を目的とするものに該当する。　
　
３　独立特許要件について　
　そこで，本件補正後の前記請求項１に係る発明（以下「本願補正発明」という。）が、特許出願の際独立して特許を受けることができるものであるか（特許法第１７条の２第６項において準用する同法第１２６条第７項の規定に適合するか）について、以下に検討する。　
　
（１）本願補正発明　
　本願補正発明は、平成２５年１１月２１日付け手続補正書の特許請求の範囲の請求項１に記載された事項により特定される、上記「１　（２）本件補正後の特許請求の範囲の請求項１及び請求項１１の【請求項１】」に記載したとおりのものである。　
　
（２）引用刊行物　
（２−１）刊行物１　
　本願の優先日前に頒布された特開平１１−２０７９３７号公報（以下「刊行物１」という。）には、以下の記載がある。　
ア　「【０００２】
【従来の技術】図６に
輪転印刷機
１はインキツボ、２はインキツボ１に蓄えられたインキ、３はインキツボローラ、４（４−１〜４−ｎ）はインキツボローラ３の軸方向に複数並設して設けられたインキツボキー、５はインキ移しローラ、６はインキローラ群、７は刷版、８は湿し水、９は給水ローラ群、１０は版胴、１７はゴム胴、１８はゴム胴１７に巻かれたブランケット
イ　「【００１１】…（丸数字４）圧胴へのインキ付着を防止するため、ゴム胴と圧胴間の隙間を大きく設定する方法も考えられるが、試刷りの時に再び正規の隙間に設定値を変更しなければならず、圧胴へのインキ付着は防止できても、印刷前準備時間の増加は避けられない。…」　
ウ　「【００１４】　
【発明の実施の形態】以下、本発明を実施の形態に基づき詳細に説明する。図２は本発明を適用してなる
４色枚葉輪転印刷機
印刷ユニット１１−１〜１１−４内に図６に示したインキ供給装置が各個に設けられている
印刷ユニット１１−１〜１１−４において、１７−１〜１７−４はゴム胴、１８−１〜１８−４はゴム胴１７−１〜１７−４の表面に巻かれたブランケット、１９−１〜１９−４は圧胴である
エ　「【００１８】試刷りシステム１４には、インキローラ群６の各ローラ上に最適なインキの膜厚を形成するための機能と合わせて、ブランケット洗浄機能、刷版クリーニング機能および試刷り機能が搭載されている。これらの機能（制御プログラム）はメニュー画面Ｍ（図５参照）に表示される。すなわち、メニュー画面Ｍに「プレインキング１」，「プレインキング２」，「ブランケット洗浄」，
「クリーニング（刷版クリーニング）」
オ　「【００２２】本刷り作業の終了後（図１に示すステップ１０１）、例えば印刷ユニット１１−１について、旧刷版７から新刷版７’への交換を行うものとする。この場合、オペレータは、印刷ユニット１１−１にセットしようとする新刷版７’の本刷りデータが記録されている記録媒体を操作デスク１３の差込口にセットし、印刷データの入力を行う（ステップ１０２）。そして、オペレータは、試刷りシステム１４のメニュー画面Ｍの「ユニット選択」において、印刷ユニット１１−１に対応する番号「１」を選択し、表示部Ｐ３に印刷枚数（インキリムービング枚数）を設定のうえ、選択キーＫ５により「インキリムービング」機能を選択する（ステップ１０３）。また、オペレータは、表示部Ｐ２に
印刷枚数（クリーニング枚数）を設定のうえ、
「クリーニング」機能を選択する
カ　「【００２８】
試刷りシステム１４は
それまで刷版７に対して着状態とされていたインキ着けローラ６−１を脱状態とし、
設定されたクリーニング枚数の印刷を開始する
【００２９】この
クリーニングを行っている間、インキ着けローラ６−１を脱状態として、
印刷が行われるため、刷版７とブランケット１８および給水ローラ群９が保有しているインキが印刷用紙に移り、全て除去される
キ　上記記載事項ア及びウで言及されている【図２】及び【図６】より、インキツボ１、インキツボ１に蓄えられたインキ２、インキツボローラ３、インキツボローラ３の軸方向に複数並設して設けられたインキツボキー４（４−１〜４−ｎ）、インキ移しローラ５、インキローラ群６からなるインキ供給装置と、刷版７、湿し水８、給水ローラ群９、版胴１０（１０−１〜１０−４）、ゴム胴１７（１７−１〜１７−４）、ゴム胴１７（１７−１〜１７−４）の表面に巻かれたブランケット１８（１８−１〜１８−４）、圧胴１９（１９−１〜１９−４）と，からなる複数の印刷ユニット１１−１〜１１−４を有する４色枚葉輪転印刷機が看取できる。　
　
　上記ア乃至カ及び図面の記載から、刊行物１には、次の発明（以下「引用発明１」という。）が記載されているものと認められる。　
　
「インキツボ１、インキツボ１に蓄えられたインキ２、インキツボローラ３、インキツボローラ３の軸方向に複数並設して設けられたインキツボキー４（４−１〜４−ｎ）、インキ移しローラ５、インキローラ群６からなる複数のインキ供給装置と、刷版７、湿し水８、給水ローラ群９、版胴１０（１０−１〜１０−４）、ゴム胴１７（１７−１〜１７−４）、ゴム胴１７（１７−１〜１７−４）の表面に巻かれたブランケット１８（１８−１〜１８−４）、圧胴１９（１９−１〜１９−４）と，からなる複数の印刷ユニット１１−１〜１１−４を有する４色枚葉輪転印刷機において、　
　試刷りシステム１４は、オペレータにより、印刷枚数（クリーニング枚数）が設定され、「クリーニング」機能が選択されることにより、それまで刷版７に対して着状態とされていたインキ着けローラ６−１を脱状態とし、設定されたクリーニング枚数の印刷を行うことにより、刷版７とブランケット１８および給水ローラ群９が保有しているインキが印刷用紙に移り、全て除去される、４色枚葉輪転印刷機。」　
　
（３）対比　
　そこで、本願補正発明と引用発明１とを対比すると、　
ア　後者の「４色枚葉輪転印刷機」が枚葉紙に対してインキを転写するものであることは明らかであるから、後者の「４色枚葉輪転印刷機」は、前者の「印刷機、望ましくは枚葉紙オフセット印刷機」における「枚葉紙オフセット印刷機」に相当する。　
イ　後者における「インキツボローラ３」は、その構造、機能、作用等からみて、前者における「インキ着けローラ」に相当し、以下同様に、「印刷ユニット１１−１〜１１−４」は「印刷装置」に、「インキ２」は「印刷インキ」に、「インキ供給装置」は「インキ装置」に、「刷版７」は「印刷プレート」に、「版胴１０（１０−１〜１０−４）」は「プレート胴」に、「給水ローラ群９」は「湿し水着けローラ」に、「ゴム胴１７（１７−１〜１７−４）」は「印刷ブランケット胴」に、「圧胴１９（１９−１〜１９−４）」は「圧胴」に、それぞれ相当する。　
ウ　後者における「インキ２」はインキツボキー４（４−１〜４−ｎ）により調量されることが明らかであるから、前者における「調量された印刷インキ」に相当する。　
エ　後者においては、「湿し水８」を「給水ローラ群９」により「刷版７」もしくは「版胴１０（１０−１〜１０−４）」に供給することが明らかであるから、後者においては、前者の「湿し装置を前記プレート胴に割り当てることができ」るといえる。　
オ　後者における「インキ２」は、刷版７からゴム胴１７を介して圧胴に支持された印刷用紙に転写されるものであることは明らかであるから、後者の「４色枚葉輪転印刷機」は、前者における「印刷インキはそれぞれ前記印刷プレートから（直接、又は）印刷ブランケット胴を介して、前記プレート胴と一つの圧胴との間を通過する印刷枚葉紙に転写され」るものといえる。　
カ　後者における「刷版７に対して着状態とされていたインキ着けローラ６−１を脱状態とし」は、その機能、作用等からみて、前者における「前記インキ着けローラは前記プレート胴に対して着脱可能である」といえるとともに、前者における択一的記載の「前記プレート胴に対して前記湿し水着けローラ及び／又は前記インキ着けローラを脱状態にする」における「前記プレート胴に対して前記インキ着けローラを脱状態にする」といえる。
キ　また、後者における「オペレータにより、印刷枚数（クリーニング枚数）が設定され、「クリーニング」機能が選択されることにより…設定されたクリーニング枚数の印刷を行うことにより、刷版７とブランケット１８および給水ローラ群９が保有しているインキが印刷用紙に移り、全て除去される」は、その機能、作用等から見て、前者における「関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能である」といえる。そして、後者におけるクリーニングを制御する「試し刷りシステム１４」は、上述するその機能、作用等から見て、前者における「制御装置」に相当する。　
　
　したがって、両者は、　
「枚葉紙オフセット印刷機であって、複数の印刷装置及び一つのプレート胴を備え、該複数の印刷装置は、それぞれがインキ着けローラを持つ少なくとも一つのインキ装置を備えており、また、前記プレート胴には少なくとも一つの印刷プレートが取り付けられており、各インキ装置は、前記インキ着けローラを介して調量された印刷インキを印刷プレートに着け、また、前記印刷装置内においてはさらに、一つの湿し水着けローラを備える少なくとも一つの湿し装置を前記プレート胴に割り当てることができ、印刷インキはそれぞれ前記印刷プレートから、印刷ブランケット胴を介して、前記プレート胴と一つの圧胴との間を通過する印刷枚葉紙に転写され、また、前記インキ着けローラは前記プレート胴に対して着脱可能である印刷機において、　
　前記プレート胴に対して前記インキ着けローラを脱状態にするための制御装置が設けられており、それにより、関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能であることを特徴とする、印刷機。」　
の点で一致し、以下の点で相違する。　
　
［相違点１］　
　本願補正発明では、インキ着けローラ及び湿し水着けローラは、プレート胴に対して、同時にあるいは別個に着脱可能であるのに対し、引用発明１では、そのような構成になっていない点。　
　
［相違点２］　
　関与する印刷装置が印刷オンの状態において、インキ除去用枚葉紙として、印刷ジョブのデータからあらかじめ決定された枚数の枚葉紙に、インキ装置からのインキ供給を行わずにカラー画像を印刷する際に、制御装置が、本願補正発明では、圧胴に対して印刷ブランケット胴を脱状態にするのに対して、引用発明１では、そのような構成になっていない点。　
　
（４）判断　
　上記相違点について以下検討する。　
（４−１）［相違点１］について　
　印刷機において、プレート胴に対して湿し水着けローラを着脱可能とすることは、本願の優先日時点で周知の技術事項であること（例えば、特開昭５５−２１２２６号公報（３頁左上欄１８行〜右上欄１５行参照。）、特開昭５７−１２５０５７号公報（特許請求の範囲参照。）、特開２００７−９０６５５号公報（【００３７】、【００４５】、【００４６】参照。）、特開平７−９６６００号公報（【００２０】参照。））、また相違点１に係る本願補正発明の発明特定事項とした点に、格別の技術的意義はない。してみると、引用発明１において、上記事項に照らし、相違点１に係る本願補正発明の発明特定事項の「湿し水着けローラは、プレート胴に対して、着脱可能」とした点は、当業者が適宜なし得る設計的事項である。　
　そして、「湿し水着けローラは、プレート胴に対して着脱可能」とすれば、当然インキ着けローラ及び湿し水着けローラのプレート胴に対する着脱は、同時にあるいは別個に行い得ることができる。　
　したがって、引用発明１において、相違点１に係る本願補正発明の発明特定事項とすることは、当業者が容易に想到し得るものである。　
　
（４−２）［相違点２］について　
　上記「（２）引用刊行物　（２−１）刊行物１　イ」に摘記したように、刊行物１には、刷版の交換の際、ゴム胴と圧胴間の隙間を変更する点（以下「刊行物１記載の技術事項」という。）が記載されている。　
　一方、本願明細書をみても、相違点２に係る本願補正発明の発明特定事項（前記圧胴に対して前記印刷ブランケット胴を脱状態にするための制御装置が設けられており、それにより、関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能であること）に格別の技術的意義は記載されていない。してみると、引用発明１において、上記の事項に照らし、相違点２に係る本願補正発明の発明特定事項とすることは、当業者は所望により適宜なし得る設計的事項である。　
　
　したがって、本願補正発明は、刊行物１、上記周知の技術事項、及び上記刊行物１記載の技術事項から、当業者が容易に発明できたものである。　
　そして、本願補正発明の発明特定事項によって奏される効果も、引用発明１、上記周知の技術事項、及び上記刊行物１記載の技術事項から、当業者が予測しうる範囲内のものである。　
　
（５）むすび　
　以上のとおりであって、本件補正は、特許法第１７条の２第６項において準用する同法第１２６条第７項の規定に違反するので、同法第１５９条第１項の規定において読み替えて準用する同法第５３条第１項の規定により却下すべきものである。　
　
　
第３　本願発明について　
１　本願発明　
　本件補正は上記第２のとおり却下されたので、本願の請求項に係る発明は、平成２３年６月２日付けの特許請求の範囲の請求項に記載された事項によって特定されるものであるところ、その請求項１に係る発明は次のとおりのものである。　
「【請求項１】　
　印刷機、望ましくは枚葉紙オフセット印刷機であって、一つの又は複数の印刷装置及び一つのプレート胴を備え、該一つの又は複数の印刷装置は、それぞれがインキ着けローラを持つ少なくとも一つのインキ装置を備えており、また、前記プレート胴には少なくとも一つの印刷プレートが取り付けられており、各インキ装置は、前記インキ着けローラを介して調量された印刷インキを印刷プレートに着け、また、前記印刷装置内においてはさらに、一つの湿し水着けローラを備える少なくとも一つの湿し装置を前記プレート胴に割り当てることができ、印刷インキはそれぞれ前記印刷プレートから直接、又は印刷ブランケット胴を介して、前記プレート胴と一つの圧胴との間を通過する印刷枚葉紙に転写され、また、前記インキ着けローラ及び湿し水着けローラは前記プレート胴に対して着脱可能である印刷機において、　
　前記プレート胴に対して前記湿し水着けローラ及び／又は前記インキ着けローラを脱状態にするため、ならびに、前記圧胴に対して前記印刷ブランケット胴を脱状態にするための制御装置が設けられており、それにより、関与する印刷装置が印刷オンの状態において、インキ除去用枚葉紙として、印刷ジョブのデータからあらかじめ決定された枚数の枚葉紙に、前記インキ装置からのインキ供給を行わずにカラー画像を印刷することが可能であることを特徴とする、印刷機。」（以下「本願発明」という。）　
　
２　引用刊行物
　原査定の拒絶の理由に引用された刊行物、及び、その記載内容は上記「第２　３　（２）引用刊行物」に記載したとおりである。　
　
３　対比・判断　
　本願発明は、上記「第２　３　（１）本願補正発明」で検討した本願補正発明の「着脱可能」に関して、「同時にあるいは別個に」との限定を省くものである。　
　そうすると、本願発明を特定事項とする事項の全てを含み、さらに限定したものに相当する本願補正発明が、上記「第２　３　（３）対比」及び「第２　３　（４）判断」に記載したとおり、引用発明１、上記周知の技術事項、及び上記刊行物１記載の技術事項に基づいて当業者が容易に発明をすることができたものであるから、本願発明も、同様の理由により、引用発明１、上記周知の技術事項、及び上記刊行物１記載の技術事項に基づいて当業者が容易に発明をすることができたものである。　
　
４　むすび　
　以上のとおりであるから、本願発明は、引用発明１、上記周知の技術事項、及び上記刊行物１記載の技術事項に基づいて、当業者が容易に発明をすることができたものであるから、特許法第２９条第２項の規定により特許を受けることができない。　
　
　
よって、結論のとおり審決する。